(57)【要約】【課題】山岳トンネルの掘削における吹付け作業において、オペレータの吹付け作業の安全性をより向上させるとともに、オペレータの実視野またはそれに近い状態で支援情報を取得することにより吹付け状況の確認性をより向上させる。【解決手段】吹付機用操縦支援装置１０は、オペレータＰの吹付作業位置Ｓよりも切羽側の位置であって支保工周りでの吹付材Ｍの吹付け情報を撮像可能に地上に設置される魚眼カメラ２０と、魚眼カメラ２０で撮像された吹付け情報を切羽後方の位置にて無線もしくは有線で取得するコンピュータ３０と、コンピュータ３０が取得した吹付け情報をオペレータＰが認識可能な遠近感を有する支保工周辺画像として表示するヘッドマウントディスプレイ（ＨＭＤ）４０と、を有する。【選択図】図１
2020109247.tif 000002
【特許請求の範囲】
【請求項１】
オペレータの吹付作業位置よりも切羽側の位置から支保工周りでの吹付材の吹付け情報を撮像可能に自身単体で地上に設置される吹付け情報撮像部と、
該吹付け情報撮像部で撮像された吹付け情報を切羽後方の位置にて無線もしくは有線で取得する吹付け情報処理部と、
該吹付け情報処理部が取得した吹付け情報をオペレータが認識可能な支保工周辺画像として表示するヘッドマウントディスプレイによる画像表示部と、
を有することを特徴とする吹付機用操縦支援装置。
【請求項２】
前記吹付け情報撮像部は、広角二眼の撮像部により遠近感を有する支保工周辺画像を撮像可能に構成されるとともに、当該吹付け情報撮像部の視野中心軸を水平または垂直に設定可能に構成されて当該吹付け情報撮像部を単独で地上に設置可能な支持体上に設けられている請求項１に記載の吹付機用操縦支援装置。
【請求項３】
請求項１または２に記載の吹付機用操縦支援装置を用い、山岳トンネルの掘削における吹付け作業を行う方法であって、
前記吹付け情報撮像部を、オペレータの吹付作業位置よりも切羽側の位置であって支保工周りでの吹付材の吹付け情報を撮像可能な地上に設置し、
前記地上に設置された吹付け情報撮像部で撮像された画像を、前記吹付け情報撮像部よりも後方に配置された前記吹付け情報処理部に無線もしくは有線で送信し、
前記ヘッドマウントディスプレイをオペレータが装着して、前記吹付け情報撮像部で取得されたる画像を見て吹付機を遠隔操作により操縦することを特徴とする吹付け作業方法。
【請求項４】
前記吹付け情報撮像部を、前回建込みを行った支保工よりも切羽側に配置するとともに、前回建込みを行った支保工の切羽側を当該吹付け情報撮像部の撮像範囲に入れるように地上に設置する請求項３に記載の吹付け作業方法。
【請求項５】
オペレータの吹付作業位置よりも切羽側の位置から支保工周りでの吹付材の吹付け情報を撮像可能となるように、オペレータの吹付作業位置から切羽側の位置に向けて移動可能である吹付機本体のブーム先端部に備えられたマンケージに設置される吹付け情報撮像部と、
該吹付け情報撮像部で撮像された吹付け情報を切羽後方の位置にて無線もしくは有線で取得する吹付け情報処理部と、
該吹付け情報処理部が取得した吹付け情報をオペレータが認識可能な支保工周辺画像として表示するヘッドマウントディスプレイによる画像表示部と、
を有することを特徴とする吹付機用操縦支援装置。
【請求項６】
前記吹付け情報撮像部は、広角二眼の撮像部により遠近感を有する支保工周辺画像を撮像可能に構成されることを特徴とする請求項５に記載の吹付機用操縦支援装置。
【請求項７】
請求項５に記載の吹付機用操縦支援装置を用い、山岳トンネルの掘削における吹付け作業を行う方法であって、
前記吹付け情報撮像部を、オペレータの吹付作業位置よりも切羽側の位置であって支保工周りでの吹付材の吹付け情報を撮像可能となるように該マンケージに設置し、
前記マンケージに設置された吹付け情報撮像部で撮像された画像を、前記吹付け情報撮像部よりも後方に配置された前記吹付け情報処理部に無線もしくは有線で送信し、前記ヘッドマウントディスプレイをオペレータが装着して、前記吹付け情報撮像部で取得されたる画像を見て吹付機を遠隔操作により操縦することを特徴とする吹付け作業方法
【発明の詳細な説明】
【技術分野】
【０００１】
本発明は、山岳トンネルの切羽での掘削におけるコンクリート等の吹付材の吹付け技術に関する。
【背景技術】
【０００２】
山岳トンネルの切羽での掘削において、吹付機を操縦するオペレータは、吹付材の吹付け状況を正確に確認するために、ある程度まで吹付け部に接近して吹付機を操縦している。
【０００３】
一方、吹付材の跳ね返りや切羽崩落への巻込まれによるオペレータの被災を回避することが極めて重要である。そのため、オペレータは、吹付材の吹付け状況をある程度視認できる範囲で、吹付け部から離れた吹付作業位置（一般的には切羽から４〜５ｍ離れた位置）で吹付機を操縦している。
【０００４】
しかし、この吹付作業位置であっても、吹付材の跳ね返りの影響が皆無とはいえない。そのため、オペレータの安全性をより向上させるためには、切羽からさらに離れた吹付作業位置で操縦を行うことが望まれる。
【０００５】
これに対し、近年、山岳トンネルにおいて、正確かつ安全な吹付け作業を実現するために、吹付け作業を支援する種々の支援システムが提案されている（例えば、特許文献１参照）。
特許文献１記載の支援システムでは、吹付機にカメラを設置するとともに、吹付け作業用のモニタ室を設けている。そして、モニタ室内に配置されたモニタに、カメラによる撮像情報とともに複数の支援情報を表示させて、吹付け作業におけるナビゲーションを行うものである。
【先行技術文献】
【特許文献】
【０００６】
【特許文献１】特開２０１７−１７９８７７号公報
【発明の概要】
【発明が解決しようとする課題】
【０００７】
しかし、特許文献１記載の支援システムでは、オペレータは、トンネルの切羽内の吹付け部の状況を、モニタに表示された数値情報や画像情報などによる複数の支援情報を見ながら吹付機を操縦する。そのため、オペレータには、当該支援システムを運用する特別な技能が必要となる上、吹付け作業は、連続的に操作と吹付けを行うので、複数の画面と数値を見ながらの作業では必ずしも作業効率が向上するとはいえず、オペレータの実視野またはそれに近い状態で支援情報を取得することが望まれる。
【０００８】
そこで、本発明は、このような問題点に着目してなされたものであって、山岳トンネルの掘削における吹付け作業において、オペレータの吹付け作業の安全性をより向上させるとともに、オペレータの実視野またはそれに近い状態で支援情報を取得することにより吹付け状況の確認性をより向上させ得る、吹付機用操縦支援装置およびこれを用いた吹付け作業方法を提供することを課題とする。
【課題を解決するための手段】
【０００９】
上記課題を解決するために、本発明の一態様に係る吹付機用操縦支援装置は、オペレータの吹付作業位置よりも切羽側の位置であって支保工周りでの吹付材の吹付け情報を撮像可能に地上に設置される吹付け情報撮像部と、該吹付け情報撮像部で撮像された吹付け情報を切羽後方の位置にて無線もしくは有線で取得する吹付け情報処理部と、該吹付け情報処理部が取得した吹付け情報をオペレータが認識可能な支保工周辺画像として表示するヘッドマウントディスプレイによる画像表示部と、を有することを特徴とする。
【００１０】
本発明の一態様に係る吹付機用操縦支援装置によれば、吹付け情報撮像部が、オペレータの吹付作業位置よりも切羽側の位置であって支保工周りでの吹付材の吹付け情報を撮像可能に地上に設置される。
そして、吹付け情報処理部は、吹付け情報取得部で撮像された吹付け情報を切羽後方の位置にて無線もしくは有線で取得し、画像表示部は、吹付け情報処理部が取得した吹付け情報をオペレータが認識可能な支保工周辺画像としてヘッドマウントディスプレイに表示できる。
【００１１】
これにより、本発明の一態様に係る吹付機用操縦支援装置によれば、山岳トンネルの掘削における吹付け作業において、切羽側の位置に吹付け情報撮像部（例えば魚眼カメラ）を配置し、後方の吹付け情報処理部（例えばコンピュータ等のデータ処理装置）に無線もしくは有線で送信できるため、オペレータは、吹付材の跳ね返り範囲から離れた吹付作業位置で吹付機を遠隔操作できる。
【００１２】
したがって、吹付材の跳ね返り範囲から十分はなれた位置で操縦できるため、吹付材の跳ね返りによる影響を回避できる。よって、オペレータの吹付け作業の安全性をより向上させることができる。
そして、オペレータは、ヘッドマウントディスプレイに表示された画像表示部に表示された支保工周辺画像を見て吹付機を操縦できるので、オペレータの実視野またはそれに近い状態で支援情報を取得することにより、吹付け状況の確認性をより向上させることができる。
【００１３】
また、上記課題を解決するために、本発明の一態様に係る吹付け作業方法は、本発明のいずれか一の態様に係る吹付機用操縦支援装置を用い、山岳トンネルの掘削における吹付け作業を行う方法であって、前記吹付け情報撮像部を、オペレータの吹付作業位置よりも切羽側の位置であって支保工周りでの吹付材の吹付け情報を撮像可能な地上に設置し、前記地上に設置された吹付け情報撮像部で撮像された画像を、前記吹付け情報撮像部よりも後方に配置された前記吹付け情報処理部に無線もしくは有線で送信し、前記ヘッドマウントディスプレイをオペレータが装着して、前記吹付け情報撮像部で取得されたる画像を見て吹付機を遠隔操作により操縦することを特徴とする。
【００１４】
本発明の一態様に係る吹付け作業方法によれば、本発明のいずれか一の態様に係る吹付機用操縦支援装置を用い、山岳トンネルの掘削における吹付け作業を行う。これにより、オペレータは、ヘッドマウントディスプレイに表示される支保工周辺画像を見て離れた位置から吹付機の遠隔操縦を行える。そのため、オペレータの吹付け作業の安全性をより向上させることができる。
そして、オペレータは、ヘッドマウントディスプレイの画像表示部に表示された支保工周辺画像を見て吹付機を操縦できるので、オペレータの実視野またはそれに近い状態で支援情報を取得することにより、吹付け状況の確認性をより向上させることができる。
【００１５】
上記課題を解決するために、請求項５に係る発明である吹付機用操縦支援装置は、オペレータの吹付作業位置よりも切羽側の位置から支保工周りでの吹付材の吹付け情報を撮像可能となるように、オペレータの吹付作業位置から切羽側の位置に向けて移動可能である吹付機本体のブーム先端部に備えられたマンケージに設置される吹付け情報撮像部と、該吹付け情報撮像部で撮像された吹付け情報を切羽後方の位置にて無線もしくは有線で取得する吹付け情報処理部と、該吹付け情報処理部が取得した吹付け情報をオペレータが認識可能な支保工周辺画像として表示するヘッドマウントディスプレイによる画像表示部と、を有することを特徴とする。
【００１６】
請求項６に係る発明は、請求項５に記載の吹付機用操縦支援装置において、  前記吹付け情報撮像部は、広角二眼の撮像部により遠近感を有する支保工周辺画像を撮像可能に構成されていることを特徴とする。
これにより、請求項５に係る発明である吹付機用操縦支援装置によれば、山岳トンネルの掘削における吹付け作業において、切羽側の位置に吹付け情報撮像部（例えば魚眼カメラ）を近づけ、後方の吹付け情報処理部（例えばコンピュータ等のデータ処理装置）に無線もしくは有線で送信できるため、オペレータは、吹付材の跳ね返り範囲から離れた吹付作業位置で吹付機を遠隔操作できる。
【００１７】
したがって、切羽崩落への巻込まれによるオペレータの被災を回避でき、さらに、崩落による吹付材の跳ね返り範囲から十分はなれた位置で操縦できるため、吹付材の跳ね返りによる影響を回避できる。よって、オペレータの吹付け作業の安全性をより向上させることができる。
そして、オペレータは、ヘッドマウントディスプレイに表示された画像表示部に表示された支保工周辺画像を見て吹付機を操縦できるので、オペレータの実視野またはそれに近い状態で支援情報を取得することにより、吹付け状況の確認性をより向上させることができる。
【００１８】
また、上記課題を解決するために、請求項７に係る発明である吹付け作業方法は、請求項５に係る発明の吹付機用操縦支援装置を用い、山岳トンネルの掘削における吹付け作業を行う方法であって、前記吹付け情報撮像部を、オペレータの吹付作業位置よりも切羽側の位置であって支保工周りでの吹付材の吹付け情報を撮像可能となるように該マンケージに設置し、前記マンケージに設置された吹付け情報撮像部で撮像された画像を、前記吹付け情報撮像部よりも後方に配置された前記吹付け情報処理部に無線もしくは有線で送信し、前記ヘッドマウントディスプレイをオペレータが装着して、前記吹付け情報撮像部で取得されたる画像を見て吹付機を遠隔操作により操縦することを特徴とする。
【００１９】
請求項７に係る発明の吹付け作業方法によれば、請求項５に係る発明の吹付機用操縦支援装置を用い、山岳トンネルの掘削における吹付け作業を行う。これにより、オペレータは、ヘッドマウントディスプレイに表示される支保工周辺画像を見て離れた位置から吹付機の遠隔操縦を行える。そのため、オペレータの吹付け作業の安全性をより向上させることができる。
そして、オペレータは、ヘッドマウントディスプレイの画像表示部に表示された支保工周辺画像を見て吹付機を操縦できるので、オペレータの実視野またはそれに近い状態で支援情報を取得することにより、吹付け状況の確認性をより向上させることができる。
【発明の効果】
【００２０】
上述のように、本発明によれば、山岳トンネルの掘削における吹付け作業において、オペレータの吹付け作業の安全性をより向上させるとともに、オペレータの実視野またはそれに近い状態で支援情報を取得することにより吹付け状況の確認性をより向上させることができる。
【図面の簡単な説明】
【００２１】
【図１】本発明の一態様に係る吹付機用操縦支援装置を用いた吹付け作業の一実施形態を説明する模式図であり、同図（ａ）は、トンネルの切羽およびその近傍におけるトンネル子午面断面とトンネル内での吹付け作業のイメージとを併せて図示し、同図（ｂ）は、（ａ）で用いている吹付機用操縦支援装置の構成をブロック図にて示している。
【図２】図１に示す魚眼カメラの構成例を説明する模式図であり、同図（ａ）は内部構造の平面図、（ｂ）は正面図、（ｃ）は側面図である。
【図３】トンネルでの支保工および吹付け作業の一例を説明する模式図であり、同図（ａ）は、トンネルの切羽およびその近傍におけるトンネル子午面断面、（ｂ）は（ａ）に一点鎖線で示す矢印部分の断面を示している。
【図４】トンネルでの支保工および吹付け作業の一例を説明する模式図であり、同図（ａ）は、トンネルの切羽とその近傍におけるトンネル子午面断面、（ｂ）は（ａ）に一点鎖線で示す矢印部分の断面を示している。
【図５】トンネルでの支保工および吹付け作業の一例を説明する模式図であり、同図（ａ）は、トンネルの切羽およびその近傍におけるトンネル子午面断面とトンネル内での吹付け作業のイメージとを併せて示し、（ｂ）は（ａ）に一点鎖線で示す矢印部分の断面を示している。
【図６】本発明の一態様に係る吹付機用操縦支援装置を用いた吹付け作業として好適な他の実施形態を説明する模式図であり、同図は、トンネルの切羽とその近傍におけるトンネル子午面断面とトンネル内での吹付け作業のイメージを併せて図示している。
【図７】図１に示す魚眼カメラの構成の他の例（第一変形例）を説明する模式図であり、同図（ａ）は内部構造の平面図、（ｂ）は正面図、（ｃ）は側面図である。
【図８】図１に示す魚眼カメラの構成の他の例（第二変形例）を説明する模式図であり、同図（ａ）は平面図、（ｂ）は正面図、（ｃ）は側面図である。
【図９】図８に示す魚眼カメラの支持体を含む構成を説明する模式図であり、同図（ａ）は平面図、（ｂ）は正面図、（ｃ）は側面図である。
【図１０】図９に示す魚眼カメラおよびその支持体の設置例を説明する模式的平面図である。
【図１１】従来の吹付け作業の一例を説明する模式図であり、同図（ａ）は、トンネルの切羽およびその近傍におけるトンネル子午面断面とトンネル内での吹付け作業のイメージとを併せて図示している。
【図１２】他の態様に係る吹付機用操縦支援装置を用いた吹付け作業の第２実施形態を説明する模式図であり、同図（ａ）は、トンネルの切羽およびその近傍におけるトンネル子午面断面とトンネル内での吹付け作業のイメージとを併せて図示し、同図（ｂ）は、（ａ）で用いている魚眼カメラとマンケージの部分を拡大した図である。
【発明を実施するための形態】
【００２２】
［第１実施形態：地上設置型吹付け情報撮像部］
以下、本発明の一実施形態について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。
また、以下に示す実施形態は、本発明の技術的思想を具体化するための装置や方法を例示するものであって、本発明の技術的思想は、構成部品の材質、形状、構造、配置等を下記の実施形態に特定するものではない。
【００２３】
図１に示すように、本実施形態の操縦支援装置１０は、魚眼カメラ２０と、コンピュータ３０と、ヘッドマウントディスプレイ（ＨＭＤ）４０と、を有する。
本実施形態の魚眼カメラ２０は、吹付け情報撮像部であり、オペレータＰまたは支援作業者が、魚眼カメラ２０を支保工部Ｄまたはその近傍の地上に配置する。同図（ａ）の例は、支保工部Ｄの近傍の地上に配置した例である。
【００２４】
より具体的には、本実施形態の魚眼カメラ２０は、オペレータＰの吹付作業位置Ｓよりも切羽Ｋ側の位置であって支保工Ｈ周りでの吹付材Ｍの吹付け情報を撮像可能な位置に設置される。
【００２５】
図２に示すように、魚眼カメラ２０は、筐体２４と、筐体２４内に収容された左右一対の撮像部２１、２２とを有する。各撮像部２１、２２は、広角な魚眼レンズを有し、これにより、広角二眼の撮像部により、遠近感を持ってかつ臨場感を持った画像を撮像可能になっている。
【００２６】
撮像部２１、２２の撮像側は、透明材料（例えばアクリルや強化ガラス）からなる保護ドーム２３によって覆われている。各撮像部２１、２２は、後方のコンピュータ３０に無線もしくは有線で撮像の信号を送信可能になっている。
筐体２４の下部には、筐体２４の傾倒姿勢やレベルを調整可能な三脚２５が支持体として装備されている。本実施形態では、三脚２５は、筐体２４の傾倒姿勢として、図１に示す水平姿勢と、図６に示す垂直姿勢との間の任意の姿勢（角度）に設定可能に地上に設置される支持脚になっている。
【００２７】
ここで、山岳トンネルの掘削における吹付け作業において、例えばブルートゥース（登録商標）による無線を切羽Ｋで使用した場合、ジャンボなどの作業機器（鉄物）の影響で通信できない状況になるおそれがある。また、山岳トンネル内においては、無線仕様での不具合は原因がすぐに特定できない可能性がある。そのため、無線仕様よりも有線仕様の方が望ましい。なお、有線にすることで無線よりも画像品質についても向上させることができる。
【００２８】
本実施形態では、魚眼カメラ２０は、撮像した吹付け情報によるオペレータＰが認識可能な遠近感を有する支保工周辺画像を、魚眼カメラ２０よりも後方のコンピュータ３０に有線で送信する。これにより、コンピュータ３０は、オペレータＰの実視野またはそれに近い状態で支援情報を取得可能になっている。なお、左右一対の撮像部２１、２２は、同一の構成を有するので、以下、第一の撮像部２１について説明する。
【００２９】
第一の撮像部２１は、魚眼レンズが装着された光学レンズ部２１ａと、光学レンズ部２１ａの後部に設けられた処理部２１ｂと、を有する。筐体２４内には、第一の撮像部２１用のバッテリ２１ｃと、通信部２１ｄとが設けられ、バッテリ２１ｃと、通信部２１ｄとは、ケーブルを介して処理部２１ｂに接続されている。
【００３０】
信号線および電源のケーブルは、各撮像部２１、２２を防護する筐体２４内での配線と筐体２４の外側の同軸ケーブルによる配線と、を筐体外側のコネクタ部（不図示）で着脱可能に接続される。電源は、各撮像部２１、２２毎に、交流１００Ｖが直流１２Ｖに変換されてバッテリ２１ｃに供給される。なお、同軸ケーブルは、人に踏まれたりすると断線する可能性があるため、耐荷性の高いケーブルが用いられている。
【００３１】
魚眼カメラ２０は、筐体２４の適所に以下図示しない排気口が設けられ、筐体内が図示しないファンにより送風および排気されて冷却可能になっている。なお、筐体２４内に送風がなされると、透明な保護ドーム２３に静電気が発生して埃などが吸着される可能性がある。この場合には、保護ドーム２３への静電気除去剤の塗布や送風方向の調整などが必要になる。
【００３２】
コンピュータ３０は、吹付け情報処理部であり、上記魚眼カメラ２０で撮像された吹付け情報を切羽Ｋ後方の位置にて無線もしくは有線で取得する。同図の例では、上述のように有線で撮像された吹付け情報を取得している。
ＨＭＤ４０は、画像表示部であり、コンピュータ３０が取得した吹付け情報を、オペレータＰが認識可能な遠近感を有する支保工周辺画像としてＨＭＤ４０の表示部に表示可能に構成されている。なお、画像表示に係る処理については、周知の技術を必要に応じて採用できるので、詳細説明は省略する。
【００３３】
オペレータＰは、ＨＭＤ４０を自身の顔に装着するとともに、遠隔操作器５０を操作可能に両手で所持している。ＨＭＤ４０は、表示部に遠近感を有する画像をオペレータＰが視認可能なように構成されている。
そして、吹付機６０は、遠隔操作器５０で遠隔操作可能にシステムが構成されており、これにより、本実施形態では、オペレータＰは、跳ね返った吹付け材Ｍｒの跳ね返り範囲から離れた吹付作業位置Ｓにて、魚眼カメラ２０からの遠近感を有する支保工周辺画像を見て、遠隔操作器５０によって吹付機６０を操縦可能になっている。
【００３４】
次に、上記吹付機用操縦支援装置１０を用いた吹付け作業方法について説明する。
吹付け作業手順としては、まず、図３に示すように、第一工程として、切羽Ｋの掘削（次期の支保工建込み部までの範囲）がなされる。次いで、図４に示すように、第二工程として、支保工Ｈの建込みが行われる。
次いで、図５に示すように、第三工程として、切羽Ｋの肌落ちを防止するために、吹付機６０による切羽Ｋおよび支保工Ｈの建込み部分への吹付け作業が行われる。切羽の肌落ち（崩落）が懸念される場合や、掘削面が軟弱と予想される場合は必要に応じて切羽Ｋへの吹付けが支保工Ｈの建込みより先になることがある。
【００３５】
ここで、従来は、図１１に一例を示すように、切羽Ｋの肌落ち防止のために行う吹付け作業では、吹付機６０のオペレータＰが切羽Ｋから４〜８ｍ程度の後方の位置で吹付け作業を行っている。その際、オペレータＰは、吹付け箇所の確認などを目視によって行いながら吹付け作業をする。
つまり、従来は、オペレータＰが、吹付部の状況を視認できる位置で吹付機６０の操縦を行っている。そのため、オペレータＰが、跳ね返った吹付け材Ｍｒにより被災するおそれがある。また、切羽Ｋの崩落に巻き込まれるおそれがある。なお、同図において符号Ｍｒで示す矢印は、跳ね返った吹付け材Ｍｒのイメージを示している（他の図において同様）。
【００３６】
これに対し、本実施形態では、オペレータＰの安全性および視認性を向上させるために、図１に示したように、従来の操縦者位置Ｓｊに魚眼カメラ２０を設置し、魚眼カメラ２０で撮像することによって切羽Ｋおよび支保工Ｈの建込み部分への吹付材Ｍの吹付け状況を捉えることができる。
【００３７】
同図の例では、上記三脚２５による姿勢調整機能によって魚眼カメラ２０の視野中心軸が水平となるように筐体２４の傾倒姿勢を設定し、魚眼カメラ２０の視野方向を切羽Ｋに対向するように設置している。
【００３８】
本実施形態では、山岳トンネルＴの掘削における吹付け作業において、従来の吹付作業位置Ｓｊや前回建込み支保工Ｈの位置よりも切羽Ｋ側の位置に魚眼カメラ２０を配置し、この魚眼カメラ２０で取得した遠近感を有する画像を、魚眼カメラ２０よりも後方のコンピュータ３０に無線もしくは有線で送信する。
【００３９】
そして、オペレータＰは、ＨＭＤ４０を装着して、魚眼カメラ２０からコンピュータ３０に無線もしくは有線で送信された遠近感を有する画像を確認しながら、吹付機６０を遠隔操作器５０で操縦できる。
【００４０】
これにより、オペレータＰは、吹付機６０の後方で吹付け作業を行えるので、吹付材Ｍの跳ね返り範囲から十分はなれた位置で操縦できる。そのため、切羽Ｋから離れた位置で作業を行うことにより、肌落ちに対する安全性が向上する。また、支保工周りの吹付け作業の状況の確認性も向上する。
【００４１】
以上説明したように、本実施形態では、二眼の魚眼カメラ２０とＨＭＤ４０を導入した吹付機用操縦支援装置１０により、魚眼カメラ２０前方の広角の範囲を、遠近感を持ってかつ臨場感を持ってＨＭＤ４０で疑似的に見渡すことができる。これにより、オペレータＰは、切羽Ｋから離れた位置で安全に且つ臨場感を持って吹付け状況をより確実に把握しつつ、吹付機６０を操縦できる。
【００４２】
［実施例］
次に、上記吹付機用操縦支援装置１０を用い、山岳トンネルＴの掘削における吹付け作業を行った実施例について説明する。
発明者らは、実際の切羽Ｋでの状況下（切羽形状、照度など）で、上記操縦支援装置１０を用い、魚眼カメラ２０を上記の位置Ｓｊに対応する複数の位置に配置して、ＨＭＤ４０による切羽の視認性を確認した。なお、１ＫＷ程度の１００Ｖの電源は切羽Ｋで確保可能である。また、切羽Ｋでは１００〜３００ルックスの明るさが確保されている。
【００４３】
本実施例では、上記吹付機用操縦支援装置１０の機能の検証に加え、切羽Ｋに対して、上記魚眼カメラ２０を１セット配置すればよいか、２セット必要か否かを確認するために、切羽Ｋでの作業が行われていない時間帯に、魚眼カメラ２０およびＨＭＤ４０を含む上記操縦支援装置１０を実際の切羽Ｋに持ち込んで、断面が大規模な山岳トンネルにて視認範囲の確認作業を実施した。なお、オペレータＰは、ヘルメットと防塵マスク（フルフェイスマスクを除く）装着した状態でＨＭＤ４０を装着可能である。
【００４４】
本実施例では、広角二眼の魚眼カメラ２０を、切羽Ｋに向かって中央の位置、ならびに中央から５ｍ右側で切羽Ｋからの離隔距離が３ｍ、４ｍ、５ｍとなる位置であって切羽Ｋの面に直交する向きにそれぞれ設置して切羽Ｋの視認性を確認した。
切羽Ｋからの距離を３ｍ、４ｍ、５ｍとしたのは、現場での状況確認時に、オペレータＰの作業位置Ｓｊ（図１１参照）が、主に切羽Ｋの面から４ｍ程度の離隔位置であったためである。
【００４５】
切羽Ｋの照度は、天端照明のみでは中央部で２００ＬＵＸ（５ｍ右で１２０ＬＵＸ、端部で８５ＬＵＸ）程度であるが、これに吹付機６０の照明が加わると、中央部で４００ＬＵＸ（５ｍ右で２００ＬＵＸ）程度に向上した。上記吹付機用操縦支援装置１０を用い、ＨＭＤ４０による切羽Ｋの視認性を確認した結果は、天端照明のみの場合でも良好であり、吹付機６０の照明が加わるとさらに画像が鮮明となった。
【００４６】
切羽Ｋから３ｍ離れた位置では、切羽Ｋの視認範囲が狭く感じるものの、オペレータＰが主に吹付け作業を行う切羽から４ｍ離れた位置ならびに５ｍ離れた位置では、十分な視認範囲が得られた。
但し、現場の状況から、吹付け作業時には、魚眼カメラ２０を更に１セットを用意して、ホース類の取り回しを行う補助者に、交代使用用の魚眼カメラ２０の移動・設置を行ってもらう方法を採用することが、作業効率を向上させる上でより好ましいことが判った。
【００４７】
ここで、本実施例では、曇りの無い状態のアクリル製ならびに強化ガラス製の保護ドーム２３を用意し、それぞれの保護ドーム２３を通して魚眼カメラ２０の見え具合を確認した。その結果、いずれの場合であっても、上記魚眼カメラ２０により、アクリル製ならびに強化ガラス製の保護ドーム２３の存在を忘れさせるような鮮明な画像が得られた。
【００４８】
特に、切羽Ｋからの距離が、オペレータＰと同程度の位置に配置したとき、アクリル製ならびに強化ガラス製の保護ドーム２３への吹付け材Ｍの固着状況を確認した。その結果、アクリル製ならびに強化ガラス製の保護ドーム２３ともに汚れることを確認したものの、魚眼カメラ２０のアクリルドーム全面がペーストで覆われてしまうような状況にはならず、いずれの材質の保護ドーム２３であっても、トンネル奥側の状況を十分に視認でき、吹付け作業が可能な視認性が得られることが確認された。
【００４９】
ただし、粉末状の微粒子がアクリル製の保護ドーム２３に多く付着していた。微粒子の付着が多いためか、アクリル製の方が強化ガラス製に比べて若干鮮明さに欠けている箇所があった。
以上、本実施例に示すように、本発明に係る、魚眼カメラ２０とＨＭＤ４０とを備える吹付機用操縦支援装置１０の導入による遠隔操作の吹付け作業方法は、実際の切羽Ｋの状況下（切羽形状、照度など）において十分に採用できることが確認された。
【００５０】
なお、本発明に係る、魚眼カメラ２０とＨＭＤ４０を備える吹付機用操縦支援装置１０の導入による吹付け作業の遠隔操作は、上記実施形態に限定されるものではなく、本発明の趣旨を逸脱しなければ種々の変形が可能である。
例えば上記実施形態では、オペレータＰが遠隔操作器５０によって吹付機６０の操縦を行う例を示したが、これに限定されず、本実施形態の吹付機用操縦支援装置１０で示したトンネル技術は、「自動吹付け」にも適用できる。
【００５１】
ここで、図１１に従来例を示したように、支保工部（切羽Ｋの面から１．５ｍ程度後方から切羽までの範囲）Ｄでの吹付材Ｍの吹付けにおいては、オペレータＰからは、同図に符号Ｖｐで示す矢印のように、前回設置した支保工Ｈの、切羽側のフランジとウェブとの間を直接見通すことが困難である。
【００５２】
そのため、オペレータＰは、フランジとウェブとの間に吹付材Ｍの吹付けを行いながら、吹付材Ｍが層状に盛り上がってきた部分（同図に斜線で示す符号Ｇの部分）を視認することで、フランジとウェブとの間の吹付けが完了したと判断している。
【００５３】
しかし、前回建込んだ支保工Ｈの切羽Ｋ側のフランジとウェブ間は、オペレータＰが視認できない（視認できる位置に立ち入ることが危険作業となる）。そのため、従来は、その箇所の吹付工の状況を直接視認困難なため、吹付け量もしくは吹付け厚さが不十分となる懸念がある。
【００５４】
フランジとウェブ間への吹付材の吹付け量もしくは吹付け厚さが不十分であると、肌落ちの原因となることが考えられる。そのため、フランジとウェブ間への吹付け状況を、より確実に確認することが望まれる。しかし、例えば、上記特許文献１記載の支援システムでは、吹付機自体にカメラを設置しているので、フランジとウェブとの間の吹付け状態を監視する上では、未だ改善の余地が残される。
【００５５】
これに対し、本実施形態の吹付機用操縦支援装置１０によれば、遠近感を有する支保工周辺画像を撮像可能な吹付け情報撮像部である魚眼カメラ２０を、前回建込まれた支保工Ｈよりも切羽Ｋ側に配置し、前回建込まれた支保工Ｈの切羽側を魚眼カメラ２０の視界に入れるように吹付機６０とは無関係に種々の位置に設置できる。よって、例えば上記特許文献１記載の支援システムでのカメラに比べて、フランジとウェブとの間の吹付け状態を監視する上で優れたシステム配置が可能となる。
【００５６】
具体的には、図６にそのようなシステム配置例を示すように、魚眼カメラ２０を吹付けの合間のタイミングで、切羽Ｋ近くの地上に配置することで、従来は見通すことのできなかった支保工Ｈの死角の吹付け状況を確認しながら、吹付け作業が可能である。
同図の例では、上記三脚２５による姿勢調整機能によって魚眼カメラ２０の視野中心軸が垂直となるように筐体２４の傾倒姿勢を設定し、魚眼カメラ２０の視野方向を真上に向けて設置している。
【００５７】
このような配置構成であれば、魚眼カメラ２０を前回建込み支保工よりも切羽側に配置して、前回建込み支保工の切羽側を魚眼カメラ２０の視界に入れることができる。これにより、本実施形態では、前回設置した支保工Ｈの切羽Ｋ側のフランジとウェブ間を見通す範囲を広くすることができる。これにより、本実施形態では、吹付け量もしくは吹付け厚さが不十分となって肌落ちが発生するおそれをより低減できる。
【００５８】
また、図７に魚眼カメラ２０の他の例（第一変形例）を示す。同図に示す第一変形例は、魚眼カメラ２０前面の透明な保護ドーム２３への吹付け材Ｍの付着を防止するために、筐体２４にエアカーテンによるエアダスタ機構２７を装備した例である。
【００５９】
ここで、上記実施例において、実際の切羽Ｋでの状況下、跳ね返りの吹付け材Ｍｒは、粉塵と吹付け材料の跳ね返り材（リバウンド材）が多く、吹付け作業で跳ね返った吹付け材Ｍｒにより、アクリル板製の保護ドーム２３には、跳ね返った吹付け材Ｍｒが付着していた。但し、アクリルに跳ね返りの骨材が当たってもアクリルが割れることはなかった。しかし、急結材が保護ドーム２３の表面で固化してしまうと、その後に、保護ドーム２３の外面を拭ってもアクリル面に傷がついて透明性が低下した。
【００６０】
そこで、この第一変形例では、保護ドーム２３としてアクリル製に替えて、強化ガラス製の保護ドーム２３を用意するとともに、エアカーテンによるエアダスタ機構２７を装備している。また、エアダスタ機構２７に圧縮空気を供給するために、コンプレッサ（ベビーコンプレッサーを想定）を別途に用意している。
【００６１】
なお、吹付け作業時の視認性が良好であれば、上記のアクリル板製の保護ドーム２３を用いてもよいし、また、付着防止用のエアダスタ機構２７を必ずしも用いる必要はない。コンプレッサからの供給直接のエアにはオイルが含まれている場合があるため、必要に応じてオイルトラップを介在させる。
【００６２】
同図に示すように、このエアダスタ機構２７は、保護ドーム２３の周囲を囲繞するように円環状に配管された圧縮空気供給管２７ｂと、圧縮空気供給管２７ｂの途中部分に連通するように接続されるとともに圧縮空気Ａを保護ドーム２３の側に向けて噴射可能に配置された複数の噴射ノズル２７ａと、を有する。
【００６３】
圧縮空気供給管２７ｂには、その途中部分の適所に、圧縮空気供給管２７ｃが接続され、この圧縮空気供給管２７ｃを介して圧縮空気供給管２７ｂに、上記コンプレッサから圧縮空気が供給される。
【００６４】
これにより、複数の噴射ノズル２７ａから保護ドーム２３の側に向けて圧縮空気Ａが噴射されると、保護ドーム２３の外面に沿ってエアカーテンが形成される。そのため、このような構成を採用すれば、吹付け時におけるエアカーテンによる付着防止性能の発揮により、跳ね返りの吹付け材Ｍｒの保護ドーム２３への付着の程度を低減または防止する上で好適である。また、保護ドーム２３が強化ガラス製なので、アクリル製のものに比べて、保護ドーム２３の外面を拭っても強化ガラス面が傷付き難い。
【００６５】
次に、図８〜図１０に、魚眼カメラ２０およびその支持体の他の例（第二変形例）を示す。同図に示す第二変形例は、魚眼カメラ２０による視認性の更なる向上、並びに、魚眼カメラ２０の支持状態の安定性および機動性を更に向上するために、筐体２４にＬＥＤ投光器２９を装備するとともに、魚眼カメラ２０の支持体として台車２８およびガイドレール２６を装備した例である。
【００６６】
詳しくは、第二変形例の魚眼カメラ２０は、図８に示すように、筐体２４にＬＥＤ投光器２９が装備されている。ＬＥＤ投光器２９は、筐体２４の左右側面に設けられた、一対の投光部２９ａ，２９ｂを有する。さらに、第二変形例の魚眼カメラ２０は、筐体２４の底面に台車２８が装備されている。
【００６７】
台車２８は、直方体状の枠体で構成された台車本体２８ｃを有する。台車本体２８ｃの上部には、筐体２４の傾倒姿勢やレベルを調整可能な連結部２８ｄが設けられている。台車本体２８ｃの下部には、移動方向の前後に離隔配置された計４つの車輪２８ａ，２８ｂが設けられている。
【００６８】
第二変形例の魚眼カメラ２０は、図９に示すように、台車２８が、ガイドレール２６の上に走行可能に載置される。ガイドレール２６は、５ｍ程度の長さを有する一対のレール部材２６ａ，２６ｂと、一対のレール部材２６ａ，２６ｂ相互を適所で繋ぐ複数の梁部材２６ｃと、を有する。
【００６９】
ガイドレール２６は、ガイドレール２６の両端近傍の位置それぞれに配置されたレール支持用三脚２５Ａ、２５Ｂによって、地上の低い位置に支持されるようになっている。つまり、第二変形例においては、レール支持用の三脚２５Ａ、２５Ｂ、ガイドレール２６および台車２８によって魚眼カメラ２０の支持体が構成されている。
【００７０】
この第二変形例のような構成であれば、筐体２４に装備した白色系のＬＥＤ投光器２９の効果により、魚眼カメラ２０による視認性を更に向上させることができる。また、支持体として、三脚２５Ａ、２５Ｂ、ガイドレール２６、およびこのガイドレール２６上を走行可能な台車２８を有するので、魚眼カメラ２０の支持状態の安定性および機動性を更に向上させることができる。
【００７１】
さらに、このような構成であれば、魚眼カメラ２０の移動をガイドレール２６に沿ってスムーズに行うことができるので、オペレータＰによる吹付機６０の操縦に際し、魚眼カメラ２０の移動作業による操縦待ちの時間を短縮できる。また、魚眼カメラ２０の移動時の画像の変化による不快感を軽減できる。
【００７２】
さらにまた、ガイドレール２６の設置位置により、魚眼カメラ２０の高さを低い位置で一定に保つことにより、魚眼カメラ２０をガイドレール２６に沿って移動する際に、吹付機６０のブームなどとの干渉を防ぐことができる。また、このような構成であれば、上記実施形態での三脚２５を移動する時に懸念される、魚眼カメラ２０の横倒しなどによる破損を防止できる。
【００７３】
なお、第二変形例の構成や、魚眼カメラ２０の切羽Ｋでの配置位置についても、上記例示した内容に限定されない。例えば、台車２８に駆動部を設けて自動走行可能に構成することができる。また、図１０に示す例では、ガイドレール２６を切羽Ｋと並行に配置している例を示しているが、これに限らず、例えば、トンネル延在方向に沿ってガイドレール２６を配置することができる。
［第２実施形態：マンケージ型吹付け情報撮像部］
【００７４】
図１２は、図１〜図１１の地上に設置された魚眼カメラ２０ とは異なり、マンケージ８０に魚眼カメラ２０が設置された吹付機用操縦支援装置の第２実施形態を示す。 図１２ において、図１〜 図１１で用いた符号と同一のものは同一または相当物である。
図１２に示すように、第２実施形態の操縦支援装置１１は、魚眼カメラ２０と、コンピュータ３０と、ヘッドマウントディスプレイ（ＨＭＤ）４０と、ブーム７０と、マンケージ８０と、を有する。
【００７５】
本実施形態の魚眼カメラ２０は、吹付け情報撮像部であり、オペレータＰまたは支援作業者が、魚眼カメラ２０をブーム先端部に備えられたマンケージ８０に配置する。同図（ａ）の例は、支保工部Ｄの近傍にマンケージを近づけた例である。
【００７６】
より具体的には、第２実施形態の実施形態の魚眼カメラ２０は、吹付機本体１１０に設けられたブーム７０のブーム先端部７０ｂに備えられたマンケージ８０の下方に位置するように固定される。ブーム７０は、ブーム基端部７０ａからブーム先端部７０ｂに向けて伸縮可能である。これにより、吹付機本体１１０のブーム７０がオペレータの吹付作業位置よりも切羽側の位置に向けて伸縮可能となる。また、魚眼カメラ２０により吹付材Ｍの吹付情報を近い位置で撮影可能となるように、マンケージ８０が取り付けられるブーム先端部７０ｂがブーム基端部７０ａに対して旋回可能となるように構成されている。さらに、図１２（ａ）で示すように、ブーム先端部７０ｂを水平軸として、魚眼カメラ２０を上下に回動することが可能であり、吹付け情報撮像部の視野中心軸を上下方向に微調整することができる。
ブーム基端部７０ａは、吹付機本体１１０上に固定される構成でも良いが、切羽Ｋ側からオペレータＰ側の方向に向けて移動可能となるよう吹付機本体１１０に設置される構成でも良い。このように、ブーム基端部７０ａが前後方向に移動可能とすることで、マンケージ８０に設けられた魚眼レンズ２０を切羽Ｋから離れた位置（地上）に降ろして、整備など（例えば、魚眼レンズ２０に付着した吹付材Ｍを拭き取る。）をすることが可能となる。
【００７７】
さらに、マンケージ８０の下方にはチルト架台９０が設けられている。魚眼カメラ２０は、チルト架台９０の前方（切羽側）に配置される。
このチルト架台は、チルト機構によりマンケージを地上面に対して水平方向に旋回させることが可能となる。すなわち、このチルト架台９０によりマンケージ８０下方に位置する魚眼カメラ２０が地上面に対して水平方向に旋回可能となり、吹付け情報撮像部の視野中心軸を地上面と水平方向に微調整することができる。このような構成とすることで、魚眼カメラ２０を吹付部に近づけながらトンネル発掘断面に対して左下方部吹付、中央上部吹付、右下方部吹付の撮影を行うことができる。
【００７８】
次に、上記吹付機用操縦支援装置１１を用いた吹付け作業方法について説明する。図１２ において、図１〜図１１で用いた符号と同一のものは同一または相当物である。
図１２に示す第２実施形態では、吹付機６０の操作を行うオペレータＰとは別のオペレータ（不図示）が、魚眼カメラ２０で吹付材Ｍの吹付情報を撮影できるようにマンケージ８０の向き、角度などの操作を行う。なお、オペレータＰがマンケージ８０の向き、角度などの操作を行っても良い。
【００７９】
この第２実施形態では、図８〜 図１１で示した上記他の実施形態と同様の効果を奏する。加えて、この他の実施形態では、マンケージ８０が、オペレータＰの吹付作業位置よりも切羽側の位置に向けて伸縮可能となるとともに、マンケージ８０がブーム基端部７０ａに対して旋回可能となり、さらに、マンケージ８０がチルド機構により旋回可能であるため、マンケージ８０（魚眼カメラ２０）を吹付部に近づけることができ、吹付部をより鮮明な映像で撮影することが可能となる。これにより、トンネルの切羽全面の吹付に対応することができる。
また、魚眼カメラ２０がマンケージ８０下部に設置されるので、マンケージ８０が魚眼カメラ２０の上方の保護となり、マンケージ８０後方に位置するチルト架台９０が魚眼カメラ２０の後方の保護となる、という特有の利点を有する。
【符号の説明】
【００８０】
１０，１１  操縦支援装置
２０        魚眼カメラ
３０        コンピュータ
４０        ヘッドマウントディスプレイ（ＨＭＤ）
５０        遠隔操作器
６０        吹付機
７０        ブーム
８０        マンケージ
９０        チルト架台
１１０      吹付機本体
Ｐ          オペレータ
Ｓ          吹付作業位置
Ｄ          支保工部
Ｔ          トンネル
Ｈ          支保工
Ｍ          吹付材
Ｋ          切羽
【図１】
2020109247.tif 000003
【図２】
2020109247.tif 000004
【図３】
2020109247.tif 000005
【図４】
2020109247.tif 000006
【図５】
2020109247.tif 000007
【図６】
2020109247.tif 000008
【図７】
2020109247.tif 000009
【図８】
2020109247.tif 000010
【図９】
2020109247.tif 000011
【図１０】
2020109247.tif 000012
【図１１】
2020109247.tif 000013
【図１２】
2020109247.tif 000014